(57)【要約】      （修正有）【課題】顔を覆う部分が曇ってしまう状況を改善しつつ、製造コストを抑制することができるフェイスガードを提供する。【解決手段】本フェイスガード１は、装着者の少なくとも鼻先及び口を覆う透明の覆い部位１１と、覆い部位を当該装着者の頭部に固定することの可能な装着用部位１２１、１２２と、覆い部位の下端から突出していて、未装着時において覆い部位と同一平面内に展開可能であって、装着者が装着用部位を用いて装着を行った際、覆い部位に対し折れた状態で装着者の顎又は顎の周辺部に当接することによって、覆い部位と鼻先及び口とを離隔させる離隔用部位１３とを備えている。ここで、離隔用部位は、覆い部位に対し折れた状態において、自らの左端部及び右端部をそれぞれ、覆い部位の左側部及び右側部に接続させるための接続部１３ａ、１３ｂを有する。また、覆い部位の少なくとも一部は、防曇処理が施されている。【選択図】図１
0003228021.tif 000002
【実用新案登録請求の範囲】
【請求項１】
装着者の少なくとも鼻先及び口を覆う透明の覆い部位と、
前記覆い部位を、当該装着者の頭部に固定することの可能な装着用部位と、
前記覆い部位の下端から突出していて、未装着時において前記覆い部位と同一平面内に展開可能な離隔用部位であって、当該装着者が前記装着用部位を用いて装着を行った際、前記覆い部位に対し折れた状態で当該装着者の顎又は顎の周辺部に当接することによって、前記覆い部位と当該鼻先及び口とを離隔させる離隔用部位と
を備えていることを特徴とするフェイスガード。
【請求項２】
前記離隔用部位は、前記覆い部位に対し折れた状態において、自らの左端部及び右端部をそれぞれ、前記覆い部位の左側部及び右側部に接続させるための接続部を有することを特徴とする請求項１に記載のフェイスガード。
【請求項３】
前記覆い部位の左側部及び右側部に、前記接続部との接続のための挿入孔若しくは切れ込み又は覆い部位突出部が設けられており、
前記接続部は、前記挿入孔若しくは切れ込みに挿入可能な突出部、又は、前記覆い部位突出部を挿入可能な挿入孔若しくは切れ込みである
ことを特徴とする請求項２に記載のフェイスガード。
【請求項４】
前記離隔用部位は、当該装着者の顎の先がそこから抜けることになる開口を有することを特徴とする請求項１から３のいずれか１項に記載のフェイスガード。
【請求項５】
前記装着用部位は、前記覆い部位の左端部及び右端部を、当該装着者の頭部の後方を介して繋ぐことの可能な装着用繋ぎ部位であることを特徴とする請求項１から４のいずれか１項に記載のフェイスガード。
【請求項６】
前記装着用部位は、当該装着者が装着を行った際に、当該装着者の耳がそこから抜けることになる開口を有することを特徴とする請求項１から５のいずれか１項に記載のフェイスガード。
【請求項７】
前記装着用部位は、前記覆い部位に繋がることの可能な繋ぎ部であって、繋がることによって装着時に前記装着用部位を当該装着者の頭部側面に寄り添わせることを可能にする繋ぎ部を有することを特徴とする請求項１から６のいずれか１項に記載のフェイスガード。
【請求項８】
前記装着用部位は、装着時に当該装着者の耳介の付け根にかける環状の伸縮体を取り付けるための取り付け部を有することを特徴とする請求項１から４のいずれか１項に記載のフェイスガード。
【請求項９】
前記覆い部位、前記装着用部位、及び前記離隔用部位は、一体の透明部材から形成された連続した部位であって、未装着時においていずれも同一平面内に展開可能な部位となっていることを特徴とする請求項１から８のいずれか１項に記載のフェイスガード。
【請求項１０】
前記覆い部位の少なくとも一部は、防曇処理が施されていることを特徴とする請求項１から９のいずれか１項に記載のフェイスガード。
【請求項１１】
前記覆い部位は、厚さが0.1ミリメートル以上であって0.5ミリメートル以下の樹脂シート製であり、当該防曇処理は、成形前の樹脂材料に所定の防曇防止用添加物を添加することを含む処理であることを特徴とする請求項１０に記載のフェイスガード。
【考案の詳細な説明】
【技術分野】
【０００１】
本考案は、装着者の顔を保護するフェイスガードに関する。
【背景技術】
【０００２】
人との対面が不可避となる医療・介護や、接客等の現場、さらには食品・医療品製造等の衛生管理を徹底すべき現場では、当事者からの飛沫や睫毛等が相手や製造物等に及んだり、逆に、当事者が相手からの飛沫を受けたりする事態を回避すべく、各種のフェイスガードが使用されることも少なくない。
【０００３】
このようなフェイスガードとして例えば、特許文献１には、作業者の鼻と両耳に架け渡して顔面に装着する固定具と、この固定具の外側に取り付けられて顔面を覆うシールドと、このシールドの下端部に保持されてシールドの下端及び顔面の間に生じる隙間を覆う受け部材とを備えたフェイスガードが開示されている。ここで、受け部材は、作業者の睫毛や眉毛等の異物が落下して製品の中に混入してしまうことを防止するために設けられている。
【０００４】
また、特許文献２には、医療従事者の頭部に装着されるフレームと、少なくとも医療従事者の眼前部及び顔側面の一部を覆い、３次元画像に対して所定の偏光特性を有する偏光シールドとからなる手術用フェイスガードが開示されている。この手術用フェイスガードによれば、医療従事者が、手術中、偏光シールドに出力された内視鏡等の３次元映像を利用することが可能となる。
【先行技術文献】
【特許文献】
【０００５】
【特許文献１】特開２００６−０５７２０２号公報
【特許文献２】国際公開第２０１６／１２５５５１号公報
【考案の概要】
【考案が解決しようとする課題】
【０００６】
従来フェイスガードにおいては、その使用中に、顔面を覆うシールドが装着者の吐く息によって曇ってしまい、そのため、装着者が作業を実施しづらくなる事態が生じてしまうことが大きな問題となっていた。
【０００７】
ここで、この問題を解決するために、例えば特許文献１や特許文献２に記載されたような、眼鏡状の固定具にシールドを取り付けた組立品としてのフェイスガードを採用し、装着者は、この固定具を眼鏡のように自らの頭部にかけることによって、顔とシールドとの間に間隔を得る、といった対応がとられてきた。
【０００８】
しかしながら、このような立体部品の組立品としてのフェイスガードは、その製造・組立にそれなりの手間がかかり、製造コスト、ひいてはその製品価格の低減化にも限度が生じる。また、このようなフェイスガードは、ある程度の大きさを有し、例えば大量に出荷・運搬する際にはそれなりの体積のものを扱わなければならず、その負担も少なくない。
【０００９】
これに対し、フェイスガードを使用する多くの現場においては、相当数のフェイスガードをできるだけ安価に取得したいというのが実情である。特に、例えば全国規模に拡大しつつある感染症に対応している医療現場、さらにはそのような感染症の侵入を排除したい接客現場や食品等の製造現場では、安価であって且つ取り扱いや廃棄の容易なフェイスガードを、常時大量に取り寄せたいニーズが多数発生するのである。
【００１０】
そこで、本考案は、顔を覆う部分が曇ってしまう状況を改善しつつ、製造コストを抑制することができるフェイスガードを提供することを目的とする。
【課題を解決するための手段】
【００１１】
本考案によれば、
装着者の少なくとも鼻先及び口を覆う透明の覆い部位と、
覆い部位を、当該装着者の頭部に固定することの可能な装着用部位と、
覆い部位の下端から突出していて、未装着時において覆い部位と同一平面内に展開可能な離隔用部位であって、当該装着者が装着用部位を用いて装着を行った際、覆い部位に対し折れた状態で当該装着者の顎又は顎の周辺部に当接することによって、覆い部位と当該鼻先及び口とを離隔させる離隔用部位と
を備えているフェイスガードが提供される。
【００１２】
この本考案によるフェイスガードの一実施形態として、離隔用部位は、覆い部位に対し折れた状態において、自らの左端部及び右端部をそれぞれ、覆い部位の左側部及び右側部に接続させるための接続部を有することも好ましい。
【００１３】
また、上記の実施形態において、覆い部位の左側部及び右側部に、前記接続部との接続のための挿入孔若しくは切れ込み又は覆い部位突出部が設けられており、上記の接続部は、この挿入孔若しくは切れ込みに挿入可能な突出部、又は、この覆い部位突出部を挿入可能な挿入孔若しくは切れ込みであることも好ましい。
【００１４】
さらに、本考案によるフェイスガードの他の実施形態として、離隔用部位は、当該装着者の顎の先がそこから抜けることになる開口を有することも好ましい。
【００１５】
また、本考案によるフェイスガードの更なる他の実施形態として、装着用部位は、覆い部位の左端部及び右端部を、当該装着者の頭部の後方を介して繋ぐことの可能な装着用繋ぎ部位であることも好ましい。さらに、装着用部位は、当該装着者が装着を行った際に、当該装着者の耳がそこから抜けることになる開口を有することも好ましい。
【００１６】
さらに、本考案によるフェイスガードの更なる他の実施形態として、装着用部位は、覆い部位に繋がることの可能な繋ぎ部であって、繋がることによって装着時に装着用部位を当該装着者の頭部側面に寄り添わせることを可能にする繋ぎ部を有することも好ましい。
【００１７】
また、本考案によるフェイスガードの更なる他の実施形態として、装着用部位は、装着時に当該装着者の耳介の付け根にかける環状の伸縮体を取り付けるための取り付け部を有することも好ましい。
【００１８】
さらに、本考案によるフェイスガードにおいて、覆い部位、装着用部位、及び離隔用部位は、一体の透明部材から形成された連続した部位であって、未装着時においていずれも同一平面内に展開可能な部位となっていることも好ましい。
【００１９】
また、本考案によるフェイスガードの更なる他の実施形態として、覆い部位の少なくとも一部は、防曇処理が施されていることも好ましく、さらに、覆い部位は、厚さが0.1ｍｍ（ミリメートル）以上であって0.5ｍｍ以下の樹脂シート製であり、当該防曇処理は、成形前の樹脂材料に所定の防曇防止用添加物を添加することを含む処理であることも好ましい。
【考案の効果】
【００２０】
本考案のフェイスガードによれば、顔を覆う部分が曇ってしまう状況を改善しつつ、製造コストを抑制することができる。
【図面の簡単な説明】
【００２１】
【図１】本考案によるフェイスガードの一実施形態を説明するための模式図である。
【図２】本考案によるフェイスガードの他の実施形態を示す模式図である。
【図３】本考案によるフェイスガードの更なる他の実施形態を示す模式図である。
【図４】本考案によるフェイスガードの更なる他の実施形態を示す模式図である。
【図５】本考案によるフェイスガードの更なる他の実施形態を示す模式図である。
【考案を実施するための形態】
【００２２】
以下に、本考案を実施するための形態について、添付図面を参照しながら詳細に説明する。なお、各図面において、同一の要素は、同一の参照番号を用いて示されている。また、図面中の構成要素内及び構成要素間の寸法比は、図面の見易さのため、それぞれ任意となっている。
【００２３】
図１は、本考案によるフェイスガードの一実施形態を説明するための模式図である。
【００２４】
図１（Ａ）に示した本実施形態のフェイスガード１は、例えば外部から飛来するウイルスや細菌を含んだ飛沫、花粉、埃、微小浮遊物等が、装着者の顔、特に目、鼻や口に及ばないようにしたり、また、装着者から発せられる飛沫や、睫毛・眉毛等の異物が、外部に放出されないようにしたりする保護具である。
【００２５】
具体的に、フェイスガード１は、
（Ａ）装着者の少なくとも鼻先及び口を覆う（本実施形態では目も覆う）透明の覆い部位１１と、
（Ｂ）覆い部位１１を、装着者の頭部に固定することの可能な「装着用部位」である装着用繋ぎ部位１２１及び１２２と、
（Ｃ）覆い部位１１の下端から突出していて、未装着時において覆い部位１１と同一平面内に展開可能な離隔用部位１３であって、装着者が装着用繋ぎ部位（装着用部位）１２１及び１２２を用いて装着を行った際、覆い部位１１に対し折れた状態で装着者の顎又は顎の周辺部に当接することによって、覆い部位１１と装着者の鼻先及び口とを離隔させる離隔用部位１３と
を備えていることを特徴としている。
【００２６】
ここで、フェイスガード１は、上記（Ｃ）の離隔用部位１３を備えているが故に、装着された際、覆い部位１１と装着者の鼻先（及び口）との距離（図１（Ｂ）に示した距離Sn）をゼロでない所定の有限値に保つことができる。その結果、覆い部位１１と装着者の顔面との間の通気性が向上し、覆い部位１１が、装着者の吐く息で曇ってしまう状況を改善することができるのである。またこれにより、フェイスガード１の装着者は、例えば治療行為や製造作業等を行う際に、目の前の対象をより良く視認することも可能となる。
【００２７】
さらに、フェイスガード１の覆い部位１１及び離隔用部位１３は、上記（Ｃ）に規定されたように、未装着時においていずれも同一平面内（図１（Ａ）でいえば同図の紙面内）に展開可能な部位となっている。また本実施形態では、装着用繋ぎ部位（装着用部位）１２１及び１２２も含め、フェイスガード１の各構成部位が、未装着時においていずれも同一平面内（図１（Ａ）の紙面内）に展開可能な部位となっている。その結果、例えば製品としてのフェイスガード１を大量に出荷する際、それらを重ねて小体積化して梱包することもでき、またそれ故、運搬の負担を小さく抑えることも可能となるのである。
【００２８】
また本実施形態において、フェイスガード１の各構成部位（覆い部位１１，装着用繋ぎ部位１２１及び１２２，離隔用部位１３）は、一体の透明部材から形成された、材質の点でも連続した部位となっており、より具体的にフェイスガード１は、１枚の透明樹脂シートから全体を一挙に切り出すことにより製造されている。その結果、製造コストを小さく抑え、ひいては製品としてのフェイスガード１を廉価なものにすることも可能となるのである。
【００２９】
ここで勿論、フェイスガード１を、このようなワンパーツ品ではなく、２つ以上のパーツを繋いで構成する製品とすることも可能である。例えば、離隔用部位１３を、覆い部位１１と同一の又は異なる部材を用いて別に形成したものとすることもできる。具体的には離隔用部位１３を、紙製の別パーツとすることも可能である。しかしながら、本実施形態におけるワンパーツ品としてのフェイスガード１は、後に説明するが装着作業も容易に行うことができ、さらに、装着者にとっての軽い付け心地を実現可能とするのである。
【００３０】
以上説明したように、本実施形態のフェイスガード１は、製造コストを低減して廉価なものとすることができ、また、出荷・運搬の負担も小さく抑えることができ、さらに（特に、この後述べる樹脂製のものにつき）廃棄も容易なものとなっている。したがってこのフェイスガード１は、例えば全国規模に拡大しつつある感染症に対応している、飛沫感染を阻止したい医療・介護現場、さらにはそのような感染症の侵入を排除したい接客現場や食品・医療品等の製造現場に対し、必要な量を常時供給するのに非常に適しているのである。
【００３１】
また、少なくとも上記（Ａ）の覆い部位１１、本実施形態ではフェイスガード１の全構成部位（覆い部位１１、装着用繋ぎ部位１２１及び１２２、及び離隔用部位１３）は、ポリプロピレン（ＰＰ）樹脂、非晶性ポリエチレンテレフタレート（Ａ−ＰＥＴ）樹脂、結晶性ポリエチレンテレフタレート（Ｃ−ＰＥＴ）樹脂、グリコール変性ポリエチレンテレフタレート（Ｇ−ＰＥＴ）樹脂、ポリ塩化ビニル（ＰＶＣ）樹脂、又はポリエチレン（ＰＥ）樹脂等の透明樹脂で形成されたものであることも好ましい。このうちＰＰ樹脂、Ａ−ＰＥＴ樹脂、Ｃ−ＰＥＴ樹脂、及びＧ−ＰＥＴ樹脂は、必要となる機械的強度や硬度を有し、また、食品容器の材料にも採用されるような安全性を備えており、顔近傍に位置する状態で使用されるフェイスガード１の構成材料として、より好適となっている。
【００３２】
さらに本実施形態では、上述したような樹脂製の覆い部位１１（本実施形態ではフェイスガード１の全構成部位）は、防曇処理の施されたものとなっている。これにより、装着者の吐く息による曇り現象だけでなく、環境温度の変化による曇り現象の発生も抑制することが可能となる。
【００３３】
ここで、この防曇処理として、部位表面の少なくとも一部に対し公知の物理的な防曇加工を施してもよい。また、部位表面の少なくとも一部に対し公知の防曇剤を塗布してもよい。しかしながら本実施形態においては、この防曇処理として、成形前の上述したような樹脂材料に対し、所定の防曇防止用添加物を添加することを含む処理を行っている。すなわち、このような添加による防曇処理を施した樹脂シートから切り出し処理を行うことにより、フェイスガード１を形成しているのである。これにより、切り出した後に防曇加工を実施する手間を省くことができ、製造がより容易になる。
【００３４】
またさらに、上述した防曇防止用添加物の添加による防曇処理を採用することによって、厚さが0.1ｍｍ（ミリメートル）以上であって0.5ｍｍ以下、より好ましくは厚さが0.1ｍｍ以上であって0.25ｍｍ以下である非常に薄い、防曇処理済みの樹脂シートを（押し出し加工により）成形し、これを用いてフェイスガード１を製造することも可能となる。実際、本願考案者は、各部位が厚さ0.2ｍｍのＰＰ製であって全体の重量が十グラム（ｇ）台であるフェイスガード１を提供することも可能であることを確認している。
【００３５】
いずれにしても、このような防曇処理の施された樹脂製の極薄・極軽量であるフェイスガード１は、使い心地が良好であって長時間使用しても装着者が疲れにくく、また、例えばハサミで余分な部分を切り取って覆い部位１１を好みのサイズ・形状のものにすることも容易であり、さらに、使い捨て可能であって除菌の手間無しに簡便に廃棄することもできるのである。
【００３６】
なお、フェイスガード１の原材料となる上述したような樹脂は、公知の帯電防止用添加物を添加することを含む帯電防止処理を施されたものであってもよい。さらに、公知の高透明化処理を施されたものであることも好ましい。このうち、帯電防止処理の施された樹脂シートを採用することによって、覆い部位１１が飛沫、花粉や、埃等を引き寄せてしまう現象を抑えることも可能となる。
【００３７】
ここで、所定の防曇防止用添加物の添加によっては、上記の帯電防止用添加物の影響による樹脂シート表面の透明性が劣化する「ブリードアウト現象」の発生を抑制することもできることが分かっている。このような処置の施された樹脂シートを採用することによって、防曇効果を享受するともに、覆い部位１１の透明性の経時劣化を防止することも可能となるのである。ちなみに、以上に述べたような防曇防止用添加物の添加による防曇処理の施された樹脂シートとして、例えば、有限会社タイロン製の樹脂シートを採用することができる。
【００３８】
次に、本実施形態のフェイスガード１の装着について説明を行う。
【００３９】
図１（Ａ）及び（Ｂ）に示したように、上記（Ｃ）の離隔用部位１３は、覆い部位１１の下端から突出した部位となっていて、また、その根元が装着時に折り曲げやすいようにくびれており（狭い幅部分となっており）、さらに本実施形態において離隔用部位１３は、
（ａ）覆い部位１１に対し折れた状態において、自らの左端部及び右端部をそれぞれ、覆い部位１１の左側部及び右側部に接続させるための「接続部」である切り込み（又は挿入孔）１３ａ及び１３ｂと、
（ｂ）装着時において装着者の顎の先がそこから抜けることになる開口１３ｃと
を有している。
【００４０】
ここで装着の際には、最初に、
（ア）離隔用部位１３を、覆い部位１１に対し内側（装着者の顔と対面する側）に折れた状態にし（折り曲げ）、
（イ）覆い部位１１の下部に予め（切り込みを入れることによって）形成されている覆い部位突出部１１ａ及び１１ｂをそれぞれ、上記（ａ）の切り込み（又は挿入孔）１３ａ及び１３ｂへ挿入して、
装着のための前準備を行い、次いで、
（ウ）離隔用部位１３の開口１３ｃに、装着者の顎先を入れるようにして、離隔用部位１３を装着者の顎又は顎の周辺部に当接させ（当たり接した状態とし）、
（エ）装着用繋ぎ部位１２１及び１２２のそれぞれに予め形成されている開口１２１ａ及び１２２ａのそれぞれから、装着者の左耳（左耳介）及び右耳（右耳介）が抜けるように、装着用繋ぎ部位１２１及び１２２を装着者の頭部にあてがい、
（オ）装着用繋ぎ部位１２１に予め形成されている挿入部１２１ｂを、装着者の頭部の後方において、装着用繋ぎ部位１２２に予め形成されている切り込み（又は挿入孔）１２２ｂへ挿入して、これにより覆い部位１１の左端部及び右端部を頭部の後方にわたり繋いで、
フェイスガード１の頭部への装着を完了するのである。このように、本装着方法によれば、覆い部位１１と装着者の鼻先及び口とを離隔させた好適な装着状態が、上記のように簡単な手順を踏むことによって容易に実現可能となる。
【００４１】
ここで本実施形態において、上記（ウ）の開口１３ｃは、離隔用部位１３が装着者の顎又は顎の周辺部に安定的に当接するように設けられているが、変更態様として、離隔用部位１３は開口を有さないものであってもよい。この場合でも、離隔用部位１３は、覆い部位１１と装着者の鼻先及び口とを離隔させることが可能となる。
【００４２】
また本実施形態において、上記（オ）の挿入部１２１ｂは、両側辺に複数の（アジャスタ機能を果たす）突起を有しているので、これを反対側の切り込み（又は挿入孔）１２２ｂへ挿入することによって、その挿入の度合いを調整しつつ固定することができ、結果的に、フェイスガード１を装着者の頭部に、ひいては顔面上に安定した形で装着させることが可能となる。また、広範な頭囲の大きさに対応して好適な装着を実現することができるのである。
【００４３】
さらに、このような挿入部１２１ｂや切り込み（又は挿入孔）１２２ｂは、ワンパーツのフェイスガード１の一部として一挙に形成することができるので、製造コストを抑制することも可能となる。
【００４４】
ここで変更態様として、図１（Ａ）とは逆に、装着用繋ぎ部位１２１が切りこみ（又は挿入孔）を有し、一方、装着用繋ぎ部位１２２が挿入部を有していてもよい。さらに変更態様として、装着用繋ぎ部位１２１の左方への突出部分、及び装着用繋ぎ部位１２２の右方への突出部分にそれぞれ、面ファスナのフック面及びループ面（又はループ面及びフック面）を貼付し、当該面ファスナによって当該突出部分同士を繋ぎ合わせることによって、フェイスガード１を装着者の頭部に固定することも可能である。また更なる変更態様として、当該左方及び右方への突出部分にそれぞれ、ボタン及びボタン穴が設けられ、これらによって両者を繋ぎ合わせてもよい。さらに、装着用繋ぎ部位を覆い部位１１の左右両端部から伸長した２つの紐とし、当該紐を結んで繋ぐような態様も可能である。ちなみに、このような面ファスナ、ボタンや、紐を利用したフェイスガード１においても、各構成部位は、未装着時においていずれも概ね同一平面内に展開可能な部位となっているのである。
【００４５】
また本実施形態においては、上記（イ）の覆い部位突出部１１ａ及び１１ｂも、両側辺に複数の（アジャスタ機能を果たす）突起を有しているので、これを離隔用部位１３の切り込み（又は挿入孔）１３ａ及び１３ｂへ挿入することによって、その挿入の度合いを調整しつつ固定することができ、これにより、離隔用部位１３を装着者の顎又は顎の周辺部に好適に当接させることが可能となるのである。
【００４６】
また、このような覆い部位突出部１１ａ及び１１ｂや切り込み（又は挿入孔）１３ａ及び１３ｂも、ワンパーツのフェイスガード１の一部として一挙に形成することができるので、製造コストを抑制することが可能となる。
【００４７】
なお変更態様として、上記（イ）の離隔用部位１３の装着準備において、図１（Ａ）とは逆に、覆い部位１１に切り込み（又は挿入孔）が設けられていて、一方、離隔用部位１３には、当該切り込み（又は挿入孔）へ挿入可能な突出部が設けられていてもよい。さらに変更態様として、覆い部位１１及び離隔用部位１３の対応箇所にそれぞれ、面ファスナのフック面及びループ面（又はループ面及びフック面）を貼付し、当該面ファスナによって離隔用部位１３の左端部及び右端部をそれぞれ、覆い部位１１の左側部及び右側部に接続させてもよい。また更なる変更態様として、当該対応箇所にそれぞれ、ボタン及びボタン穴が設けられ、これらによって離隔用部位１３の左端部及び右端部をそれぞれ、覆い部位１１の左側部及び右側部に繋ぎ合わせてもよい。ちなみに、このような面ファスナやボタンを利用したフェイスガード１においても、各構成部位は、未装着時においていずれも概ね同一平面内に展開可能な部位となっているのである。
【００４８】
ここで、上述したようにアジャスタ機能を果たす覆い部位突出部１１ａ及び１１ｂにおける、切り込み（又は挿入孔）１３ａ及び１３ｂへの挿入具合を変えて、離隔用部位１３における装着者の顎又は顎の周辺部に対する当接の具合（傾きの程度）を調節し、図１（Ｂ）に示した（覆い部位１１と装着者の鼻先（及び口）との）距離Snを十分な大きさの有限値、好ましくは5ｍｍ以上であって50ｍｍ以下に保つことにより、覆い部位１１が、装着者の吐く息で曇ってしまう状況を改善することも可能となるのである。
【００４９】
また、以上に述べたように距離Snを調整することによって、覆い部位１１と顔面との間にそれなりの大きさの空間が形成され、フェイスガード１の上方と下方との間の通気性が十分に確保される。これにより、装着者の呼吸を妨げることなく、覆い部位１１の防曇を促進することが可能となる。さらに、装着者は、マスク、眼鏡や、ミニゴーグル等を着用した状態のままでも、フェイスガード１を装着することができる。ここで、このようにフェイスガード１をマスクやミニゴーグル等と併用することによって、例えば飛沫感染防止効果をより高めることも可能となるのである。
【００５０】
また本実施形態において、フェイスガード１の覆い部位１１は、装着された際に装着者の耳を覆わないように限定された（左右方向の）幅を有し、さらに、装着用繋ぎ部位１２１及び１２２はそれぞれ、装着された際に装着者の左耳（左耳介）及び右耳（右耳介）がそこを通り向けて露出するような開口１２１ａ及び１２２ａを有している。このような装着者の聴覚に影響を与えないフェイスガード１の構成は、例えばフェイスガード１を装着した医療従事者が、聴診器を使用して診断を行うことも可能にするのである。
【００５１】
また、本実施形態の開口１２１ａ及び１２２ａには、開口縁から開口内に向けて突出する形で、突出片が設けられている。ここで装着時において開口（１２１ａ，１２２ａ）に耳を通す際、この突出片を折り曲げておくことによって、装着者の耳介の付け根に当たるのは、この突出片の折り曲げ端となるので、（フェイスガード１の生の切り出し端が当たるのと比較して）当該付け根の皮膚部分にとってやさしい（痛くない）付け心地を実現することが可能となるのである。
【００５２】
さらに、本実施形態の開口１３ｃにも、開口縁から開口内に向けて突出する形で、突出片が（図１では２つ）設けられている。ここで装着時において開口１３ｃに顎先を入れる際、この突出片を折り曲げておくことによって、装着者の顎先周辺に当たるのは、この突出片の折り曲げ端となるので、ここでも当該顎先周辺の皮膚部分にとってやさしい（痛くない）付け心地を実現することが可能となるのである。
【００５３】
図２は、本考案によるフェイスガードの他の実施形態を示す模式図である。
【００５４】
図２に示した本実施形態のフェイスガード１’は、
（ａ）覆い部位突出部１１ａ’及び１１ｂ’を有しており、装着者の鼻先及び口を覆う覆い部位１１’と、
（ｂ）開口１２１ａ’及び挿入部１２１ｂ’を有する装着用繋ぎ部位１２１’と、開口１２２ａ’及び切り込み１２２ｂ’を有する装着用繋ぎ部位１２２’と、
（ｃ）接続部としての切り込み１３ａ’及び１３ｂ’、並びに開口１３ｃ’を有する離隔用部位１３’と
を備えており、これらの部位・部分はそれぞれ、フェイスガード１（図１）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００５５】
しかしながら、このフェイスガード１’の覆い部位１１’は、フェイスガード１（図１）の覆い部位１１と比較してその面積がより小さく、装着者の目は覆わずに露出させるマスク相当のものとなっている。これにより、フェイスガード１’は、例えば眼鏡やゴーグルを着用した装着者にとって、より装着し易くなっている。また勿論、離隔用部位１３’が装着者の顎又は顎の周辺部に当接して覆い部位１１’と装着者の鼻先及び口との間に空間をつくることによって、覆い部位１１’が曇ってしまう状況を改善しつつ、その製造コストを抑制することが可能となる。
【００５６】
ここで、上述したように覆い部位１１’が曇ってしまう状況を改善することによって、装着者が覆い部位１１’越しに下方を見ることも妨げられずに済む。また、覆い部位１１’のサイズがより小さいことにより、その通気性もより高まるので、例えば装着者の着用した眼鏡が曇ってしまう事態も改善することが可能となるのである。
【００５７】
図３は、本考案によるフェイスガードの更なる他の実施形態を示す模式図である。
【００５８】
図３に示した本実施形態のフェイスガード２は、
（ａ）装着者の鼻先及び口を（本実施形態では目も）覆う覆い部位２１と、
（ｂ１）開口２２１ａを有する装着用部位２２１と、
（ｂ２）開口２２２ａを有する装着用部位２２２と、
（ｃ）接続部（突出部２３ａ及び２３ｂ）並びに開口２３ｃを有する離隔用部位２３と
を備えており、これらの部位・部分はそれぞれ、フェイスガード１（図１）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００５９】
しかしながら、本実施形態におけるフェイスガード２の装着用部位２２１及び２２２は、フェイスガード１（図１）とは異なり、装着者の頭部の後方にわたって覆い部位２１の左右端部を繋ぐような部分を有しておらず、代わりに装着の際、装着者の耳（耳介）がそこから抜けることになる開口２２１ｂ及び２２２ｂをもって、フェイスガード２を頭部に固定するのである。
【００６０】
またこのような装着において、フェイスガード２を装着者の頭部の幅に合わせ込み、安定した装着感を実現すべく、装着用部位２２１及び２２２は、覆い部位２１に繋がることによって装着時に装着用部位２２１及び２２２を装着者の頭部側面に寄り添わせることを可能にする繋ぎ部２２１ｂ及び２２２ｂを有している。具体的に、繋ぎ部２２１ｂ及び２２２ｂはそれぞれ、（覆い部位２１に予め設けられた）切り込み２１ａ及び２１ｂへ挿入可能な複数の突出部を備えており、切り込み２１ａ及び２１ｂへ挿入する当該突出部を適当に選択することによって、フェイスガード２を装着者の頭部にフィットさせることが可能となるのである。
【００６１】
ちなみに、本実施形態におけるフェイスガード２の離隔用部位２３は、接続部として突出部２３ａ及び２３ｂを有しており、一方、覆い部位２１には、それぞれ突出部２３ａ及び２３ｂが挿入される切り込み２１ａ及び２１ｂが設けられている。ここで勿論、フェイスガード１（図１）と同様、離隔用部位２３が切り込みを有していて、覆い部位２１には、当該切り込みに挿入される覆い部位突出部が設けられていてもよい。
【００６２】
いずれにしても、本実施形態のフェイスガード２によれば、フェイスガード１（図１）と同様、離隔用部位２３が装着者の顎又は顎の周辺部に当接して覆い部位２１と装着者の鼻先及び口との間に空間をつくることによって、覆い部位２１が曇ってしまう状況を改善しつつ、その製造コストを抑制することが可能となるのである。
【００６３】
図４は、本考案によるフェイスガードの更なる他の実施形態を示す模式図である。
【００６４】
図４に示した本実施形態のフェイスガード３は、
（ａ）覆い部位突出部３１ａ及び３１ｂを有しており、装着者の鼻先及び口を（本実施形態では目も）覆う覆い部位３１と、
（ｂ）装着用部位３２１及び３２２と、
（ｃ）接続部としての切り込み３３ａ及び３３ｂ、並びに開口３３ｃを有する離隔用部位３３と
を備えており、これらの部位・部分はそれぞれ、フェイスガード１（図１）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００６５】
しかしながら、本実施形態のフェイスガード３においては、フェイスガード１（図１）とは異なり、装着用部位３２１及び３２２は、装着者の頭部の後方にわたり覆い部位３１の左右端部を繋ぐ部分や、装着者の耳（耳介）がそこから抜けることになる開口を有しておらず、代わりに、輪ゴムや小型のゴムバンドといったような環状伸縮体を取り付けるための取り付け部３２１ａ及び３２２ａを有しているのである。
【００６６】
ここで、取り付け部３２１ａ及び３２２ａは本実施形態においてそれぞれ、装着用部位３２１及び３２２の上下部に設けられた切り込み及び孔となっているが、勿論、輪ゴム等が取り付け可能であれば他の様々な態様のものであってもよい。いずれにしても、装着時には、取り付け部３２１ａ及び３２２ａに取り付けられた環状伸縮体を、それぞれ装着者の左耳介及び右耳介の付け根にかけて、フェイスガード３を装着者の頭部に固定することができるのである。
【００６７】
このように、フェイスガード３は、（装着用部位に開口を形成せずに済むといったような）より簡単な構成をとりながら、装着された際に装着者の聴覚に影響を与えることがない。その結果、例えばフェイスガード３を装着した医療従事者は、聴診器を使用して診断を行うことも可能となるのである。
【００６８】
また、本実施形態のフェイスガード３によれば、フェイスガード１（図１）と同様、離隔用部位３３が装着者の顎又は顎の周辺部に当接して覆い部位３１と装着者の鼻先及び口との間に空間をつくることによって、覆い部位３１が曇ってしまう状況を改善しつつ、その製造コストを抑制することが可能となる。
【００６９】
図５は、本考案によるフェイスガードの更なる他の実施形態を示す模式図である。
【００７０】
図５に示した本実施形態のフェイスガード４は、
（ａ）覆い部位突出部４１ａ及び４１ｂを有しており、装着者の鼻先及び口を覆う覆い部位４１と、
（ｂ）それぞれ取り付け部４２１ａ及び４２２ａを有する装着用部位４２１及び４２２と、
（ｃ）接続部としての切り込み４３ａ及び４３ｂ、及び開口４３ｃを有する離隔用部位３３と
を備えており、これらの部位・部分はそれぞれ、フェイスガード３（図４）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００７１】
しかしながら、このフェイスガード４の覆い部位４１は、フェイスガード３（図４）の覆い部位３１と比較してその面積がより小さく、装着者の目は覆わずに露出させるマスク相当のものとなっている。これにより、フェイスガード４は、例えば眼鏡やゴーグルを着用した装着者にとって、より装着し易くなっている。また勿論、離隔用部位４３が装着者の顎又は顎の周辺部に当接して覆い部位４１と装着者の鼻先及び口との間に空間をつくることによって、覆い部位４１が曇ってしまう状況を改善しつつ、その製造コストを抑制することが可能となる。
【００７２】
ここで、上述したように覆い部位４１が曇ってしまう状況を改善することによって、装着者が覆い部位４１越しに下方を見ることも妨げられずに済む。また、覆い部位４１のサイズがより小さいことにより、その通気性もより高まるので、例えば装着者の着用した眼鏡が曇ってしまう事態も改善することが可能となるのである。
【００７３】
以上詳細に説明したように、本考案のフェイスガードは、以上に述べたような「離隔用部位」を備えているが故に、装着された際、覆い部位と装着者の鼻先及び口とを確実に離隔させることができ、その結果、この覆い部位が装着者の吐く息で曇ってしまう状況を、改善することが可能となる。
【００７４】
また、本考案のフェイスガードの少なくとも覆い部位及び離隔用部位（図１〜５に示した実施形態ではすべての構成部位）は、未装着時においていずれも同一平面内に展開可能な部位となっている。これにより、本フェイスガードの製造が容易となり、製造コストを抑制することが可能となる。さらに、例えば製品としてのフェイスガードを大量に出荷する際にも、それらを重ねて小体積化して梱包することもでき、それ故運搬の負担を小さく抑えることも可能となる。
【００７５】
さらに、本考案のフェイスガードは、以上に説明したように種々の実施形態をとることができ、その結果、様々な現場や業界で好適に利用可能なものとなっている。例えば、病院、薬局、介護施設、銀行、自治体等の窓口、飲食店、スーパーマーケット、コンビニエンスストア、理美容室、サロンや、食品・医療品製造工場等において人や製造物等と対面する従事者、さらには、柴刈り、ガーデニング、洗車や、ペンキ塗り等のアウトドア作業を行う人や、家庭内で料理・調理を行う人等、種々様々なユーザに利用されることができるのである。
【００７６】
なお、以上に述べた実施形態は全て、本考案を例示的に示すものであって限定的に示すものではなく、本考案は、他の種々の変形態様及び変更態様で実施することができる。従って、本考案の範囲は、実用新案登録請求の範囲及びその均等範囲によってのみ規定されるものである。
【符号の説明】
【００７７】
１、１’、２、３，４  フェイスガード
１１、１１’、２１、３１、４１  覆い部位
１１ａ、１１ａ’、１１ｂ、１１ｂ’、３１ａ、３１ｂ、４１ａ、４１ｂ  覆い部位突出部
１２１、１２１’、１２２、１２２’  装着用繋ぎ部位（装着用部位）
１２１ａ、１２１ａ’、１２２ａ、１２２ａ’、１３ｃ、１３ｃ’、２２１ａ、２２２ａ、２３ｃ、３３ｃ、４３ｃ  開口
１２１ｂ、１２１ｂ’  挿入部
１２２ｂ、１２２ｂ’、２１ａ、２１ｂ、２１ｃ、２１ｄ  切り込み
１３、１３’、２３、３３、４３  離隔用部位
１３ａ、１３ａ’、１３ｂ、１３ｂ’、３３ａ、３３ｂ、４３ａ、４３ｂ  切り込み（接続部）
２２１、２２２、３２１、３２２、４２１、４２２  装着用部位
２２１ｂ、２２２ｂ  繋ぎ部
２３ａ、２３ｂ  突出部（接続部）
【図１】
0003228021.tif 000003
【図２】
0003228021.tif 000004
【図３】
0003228021.tif 000005
【図４】
0003228021.tif 000006
【図５】
0003228021.tif 000007